(57)【特許請求の範囲】
【請求項１】
所定の帯域内の各サブキャリア周波数成分に情報が分割されて変調されることにより生成された有効シンボルと、この有効シンボルの一部の信号波形が複写されることによって生成されたガードインターバルとが含まれた伝送シンボルを伝送単位とする直交周波数分割多重（ＯＦＤＭ）信号を受信する受信装置において、
受信したＯＦＤＭ信号が所定のキャリア周波数で直交復調されたＯＦＤＭ時間領域信号から、上記サブキャリアの周波数間隔の±１／２以下の精度の狭帯域キャリア誤差を算出する狭帯域キャリア誤差算出手段と、
上記ＯＦＤＭ時間領域信号に、上記狭帯域キャリア誤差算出手段により算出された狭帯域キャリア誤差に応じて周波数が増減する補正信号を複素乗算することにより、該ＯＦＤＭ時間領域信号のキャリア周波数誤差を補正するキャリア周波数誤差補正部と、
上記キャリア周波数誤差補正部により補正されたＯＦＤＭ時間領域信号の伝送シンボルから上記有効シンボル期間分の演算範囲を切り出し、切り出した演算範囲をフーリエ変換して情報を復調するフーリエ変換手段と、
受信したＯＦＤＭ信号のガードインターバルの長さに応じて、上記フーリエ変換手段による伝送シンボル内に対する上記演算範囲を制御するウィンドウ制御手段と、
受信するＯＦＤＭ信号を選択するための選択入力情報がユーザから入力される入力手段と、
ユーザから入力される上記選択入力情報に対応させてガードインターバル長情報を記憶する記憶手段と、
入力された上記選択入力情報に応じて上記ガードインターバル長情報を上記記憶手段から読み出し、読み出したガードインターバル長情報を上記ウィンドウ制御手段に与える制御手段とを備え、
上記ウィンドウ制御手段は、受信開始時に、上記狭帯域キャリア誤差算出手段が狭帯域キャリア誤差を算出する際に得られる伝送シンボルの境界位置情報と、上記制御手段から供給されたガードインターバル長情報とに基づき、上記フーリエ変換手段による伝送シンボル内に対する上記演算範囲を制御する受信装置。
【請求項２】
上記制御手段は、受信中のＯＦＤＭ信号のガードインターバル長を検出し、検出したガードインターバル長を上記受信中のＯＦＤＭ信号を指定する選択入力情報に対応させて上記記憶手段に記憶させる請求項１記載の受信装置。
【請求項３】
上記ＯＦＤＭ信号には伝送制御情報がサブキャリアに直交変調されており、上記フーリエ変換した情報から上記伝送制御情報を復号する伝送制御情報復号手段を更に備え、
上記記憶手段は、ガードインターバル長情報とともに、ユーザから入力される上記選択入力情報に対応させて伝送制御情報を記憶し、
上記制御手段は、さらに、ユーザからの上記選択入力情報に応じて上記伝送制御情報を上記記憶手段から読み出し、読み出した伝送制御情報に基づき受信したＯＦＤＭ信号に対する復調方式及び／又は復号方式の設定をする請求項１記載の受信装置。
【請求項４】
上記ＯＦＤＭ信号には伝送制御情報がサブキャリアに直交変調されており、上記フーリエ変換した情報から上記伝送制御情報を復号する伝送制御情報復号手段を更に備え、
上記制御手段は、上記伝送制御情報復号手段が上記フーリエ変換した情報から上記伝送制御情報を復号できなかったとき、受信中のＯＦＤＭ信号のガードインターバル長を検出し、検出したガードインターバル長を上記受信中のＯＦＤＭ信号を指定する選択入力情報に対応させて上記記憶手段に記憶させる請求項１記載の受信装置。
【請求項５】
上記フーリエ変換した情報から、上記サブキャリア周波数成分の周波数間隔精度の広帯域キャリア周波数誤差を算出する広帯域キャリア周波数誤差手段を更に備え、
上記キャリア周波数誤差補正部は、上記狭帯域キャリア誤差算出手段により算出された狭帯域キャリア誤差と、上記広帯域キャリア誤差算出手段により算出された広帯域キャリア誤差とに応じて、周波数が増減する補正信号を複素乗算することにより、該ＯＦＤＭ時間領域信号のキャリア周波数誤差を補正する請求項１記載の受信装置。
【請求項６】
所定の帯域内の各サブキャリア周波数成分に情報が分割されて変調されることにより生成された有効シンボルと、この有効シンボルの一部の信号波形が複写されることによって生成されたガードインターバルとが含まれた伝送シンボルを伝送単位とし、伝送制御情報がサブキャリアに直交変調された直交周波数分割多重（ＯＦＤＭ）信号を受信する受信装置において、
受信したＯＦＤＭ信号が所定のキャリア周波数で直交復調されたＯＦＤＭ時間領域信号から、上記サブキャリアの周波数間隔の±１／２以下の精度の狭帯域キャリア誤差を算出する狭帯域キャリア誤差算出手段と、
上記ＯＦＤＭ時間領域信号に、上記狭帯域キャリア誤差算出手段により算出された狭帯域キャリア誤差に応じて周波数が増減する補正信号を複素乗算することにより、該ＯＦＤＭ時間領域信号のキャリア周波数誤差を補正するキャリア周波数誤差補正部と、
上記キャリア周波数誤差補正部により補正されたＯＦＤＭ時間領域信号の伝送シンボルから上記有効シンボル期間分の演算範囲を切り出し、切り出した演算範囲をフーリエ変換して情報を復調するフーリエ変換手段と、
受信したＯＦＤＭ信号のガードインターバルの長さと上記狭帯域キャリア誤差算出手段が狭帯域キャリア誤差を算出する際に得られる伝送シンボルの境界位置情報とに応じて、上記フーリエ変換手段による伝送シンボル内に対する上記演算範囲を制御するウィンドウ制御手段と、
上記フーリエ変換した情報から上記伝送制御情報を復号する伝送制御情報復号手段と、
受信するＯＦＤＭ信号を選択する選択入力情報がユーザから入力される入力手段と、
ユーザから入力される上記選択入力情報に対応させて上記伝送制御情報を記憶する記憶手段と、
入力された上記選択入力情報に応じて上記伝送制御情報を上記記憶手段から読み出し、読み出した伝送制御情報に基づき受信したＯＦＤＭ信号に対する復調方式及び／又は復号方式の設定をする制御手段とを備える受信装置。
【請求項７】
上記制御手段は、受信中のＯＦＤＭ信号の伝送制御を検出し、検出した伝送制御を上記受信中のＯＦＤＭ信号を指定する選択入力情報に対応させて上記記憶手段に記憶させる請求項６記載の受信装置。
【発明の詳細な説明】
【０００１】
【発明の属する技術分野】
本発明は、直交周波数分割多重化伝送（ＯＦＤＭ：Orthogonal Frequency Division Multiplexing）方式によるデジタル放送等を受信する受信装置に関するものである。
【０００２】
【従来の技術】
近年、デジタル信号を伝送する方式として、直交周波数分割多重方式（ＯＦＤＭ：Orthogonal Frequency Division Multiplexing）と呼ばれる変調方式が提案されている。このＯＦＤＭ方式は、伝送帯域内に多数の直交する副搬送波（サブキャリア）を設け、それぞれのサブキャリアの振幅及び位相にデータを割り当て、ＰＳＫ（Phase Shift Keying）やＱＡＭ（Quadrature Amplitude Modulation）によりディジタル変調する方式である。
【０００３】
このＯＦＤＭ方式は、多数のサブキャリアで伝送帯域を分割するため、サブキャリア１波あたりの帯域は狭くなり変調速度は遅くはなるが、トータルの伝送速度は、従来の変調方式と変わらないという特徴を有している。また、このＯＦＤＭ方式は、多数のサブキャリアが並列に伝送されるためにシンボル速度が遅くなるという特徴を有している。そのため、このＯＦＤＭ方式は、シンボルの時間長に対する相対的なマルチパスの時間長を短くすることができ、マルチパス妨害を受けにくくなる。また、ＯＦＤＭ方式は、複数のサブキャリアに対してデータの割り当てが行われることから、変調時には逆フーリエ変換を行うＩＦＦＴ（Inverse Fast Fourier Transform）演算回路、復調時にはフーリエ変換を行うＦＦＴ（Fast Fourier Transform）演算回路を用いることにより、送受信回路を構成することができるという特徴を有している。
【０００４】
ＯＦＤＭ方式による送信信号は、図２に示すように、ＯＦＤＭシンボルと呼ばれるシンボル単位で伝送される。このＯＦＤＭシンボルは、送信時にＩＦＦＴが行われる信号期間である有効シンボルと、この有効シンボルの後半の一部分の波形がそのままコピーされたガードインターバルとから構成されている。このガードインターバルは、ＯＦＤＭシンボルの前半部分に設けられている。
【０００５】
以上のような特徴からＯＦＤＭ方式は、マルチパス妨害の影響を強く受ける地上波ディジタル放送に適用することが広く検討されている。このようなＯＦＤＭ方式を採用した地上波ディジタル放送としては、例えば、ＤＶＢ−Ｔ（Digital Video Broadcasting-Terrestrial）やＩＳＤＢ−Ｔ（Integrated Services Digital Broadcasting -Terrestrial）といった規格が提案されている。
【０００６】
ＤＶＢ−ＴやＩＳＤＢ−ＴといったＯＦＤＭ方式を採用した各放送規格では、一般に、放送する情報内容の違いや伝送路の特性に応じて、有効シンボルに対するガードインターバルの長さ（ガードインターバル比）を、複数の比率の中から選択できるようになっている。
【０００７】
例えば、ＩＳＤＢ−Ｔ規格では、ガードインターバル比として、１／４、１／８、１／１６、１／３２の中からいずれか１つを採用することが認められている。
【０００８】
このようガードインターバル比をどのように設定するかは、例えば、チャネル毎、プログラム毎、番組毎、放送時間毎等によって変更することができ、放送を提供する側で任意の設定される。
【０００９】
また、ＯＦＤＭ方式を採用した各放送規格では、データを直交変調するキャリア変調処理、耐フェージング性能を向上させるためにデータを時間方向にインターリーブする時間方向インターリーブ処理、パンクチャード畳み込み符号による符号化処理が行われている。そして、各放送方式では、放送する情報の内容の違いや伝送路の特性に応じて、複数のキャリア変調方式、複数の時間方向インターリーブパターン、複数の符号化率を選択できるようになっている。
【００１０】
例えば、ＩＳＤＢ−Ｔ規格では、キャリア変調方式として、ＤＱＰＳＫ、ＱＰＳＫ、１６ＱＡＭ、６４ＱＡＭの中からいずれかを１つを採用することが可能となっている。また、時間方向インターリーブパターンも、遅延量が０シンボル、２シンボル、４シンボル、８シンボル、１６シンボルの中からいずれか１つを採用することが可能となっている。また、畳み込み符号の符号化率も、１／２、２／３、３／４、５／６、７／８の中からいずれか１つを採用することが可能となっている。
【００１１】
このようなキャリア変調方式、時間方向インターリーブパターン、畳み込み符号の符号化率をどのように設定するかは、例えば、チャネル毎、プログラム毎、番組毎、放送時間毎等によって変更することができ、放送を提供する側で任意の設定される。
【００１２】
【発明が解決しようとする課題】
ところで、ＯＦＤＭ受信装置では、ウィンドウ同期制御と呼ばれるＦＦＴ演算範囲を定める同期制御が行われる。このウィンドウ同期制御は、ＯＦＤＭシンボルからガードインターバル長のサンプルデータを取り除く制御が行われるため、受信装置では、現在受信しているＯＦＤＭ信号のガードインターバル比を知る必要がある。しかしながら、ガードインターバル比は、放送を提供する側で任意に設定されているため受信側で一義的に定めることができない。
【００１３】
従って、受信装置は、まず、規格上定められている複数のガードインターバル比を順番に用いてウィンドウ同期を試み、そして、復調後の信号を観察ながら正確に復調が可能なガードインターバル比を探し出す処理を、受信開始時に行っていた。
【００１４】
そのため、受信側では、受信開始命令から音声や映像が出力されるまでの初期立ち上がり時間が遅くなってしまっていた。
【００１５】
また、ＯＦＤＭ方式を採用した各放送規格においては、一般に、受信した信号のキャリア変調方式、時間方向インターリーブパターン、畳み込み符号の符号化率がどのように設定されているかは、伝送制御情報に記述されている。例えば、ＩＳＤＢ−Ｔ規格においては、ＴＭＣＣ（Transmission and Multiplexing Configuration Control）と呼ばれる伝送制御情報に記述され、ＤＶＢ−Ｔ規格においては、ＴＰＳ（Transmission Parameter Signaling）と呼ばれる伝送制御情報に記述されている。
【００１６】
そのため、受信側では、このような伝送制御情報が確実に復調されるタイミングまで、時間方向のでインターリーブ処理、デマッピング処理、ビタビ復号等の復号処理を行うことができず、受信開始命令から音声や映像が出力されるまでの初期立ち上がり時間が遅くなってしまっていた。
【００１７】
本発明は、このような実情を鑑みてなされたものであり、受信開始から音声又は映像等が出力されるまでの初期立ち上がり時間が短縮されたＯＦＤＭ信号の受信装置を提供することを目的とする。
【００１８】
【課題を解決するための手段】
本発明にかかる受信装置は、所定の帯域内の各サブキャリア周波数成分に情報が分割されて変調されることにより生成された有効シンボルと、この有効シンボルの一部の信号波形が複写されることによって生成されたガードインターバルとが含まれた伝送シンボルを伝送単位とする直交周波数分割多重（ＯＦＤＭ）信号を受信する受信装置であって、受信したＯＦＤＭ信号が所定のキャリア周波数で直交復調されたＯＦＤＭ時間領域信号から、上記サブキャリアの周波数間隔の±１／２以下の精度の狭帯域キャリア誤差を算出する狭帯域キャリア誤差算出手段と、上記ＯＦＤＭ時間領域信号に、上記狭帯域キャリア誤差算出手段により算出された狭帯域キャリア誤差に応じて周波数が増減する補正信号を複素乗算することにより、該ＯＦＤＭ時間領域信号のキャリア周波数誤差を補正するキャリア周波数誤差補正部と、上記キャリア周波数誤差補正部により補正されたＯＦＤＭ時間領域信号の伝送シンボルから上記有効シンボル期間分の演算範囲を切り出し、切り出した演算範囲をフーリエ変換して情報を復調するフーリエ変換手段と、受信したＯＦＤＭ信号のガードインターバルの長さに応じて、上記フーリエ変換手段による伝送シンボル内に対する上記演算範囲を制御するウィンドウ制御手段と、受信するＯＦＤＭ信号を選択するための選択入力情報がユーザから入力される入力手段と、ユーザから入力される上記選択入力情報に対応させてガードインターバル長情報を記憶する記憶手段と、入力された上記選択入力情報に応じて上記ガードインターバル長情報を上記記憶手段から読み出し、読み出したガードインターバル長情報を上記ウィンドウ制御手段に与える制御手段とを備え、上記ウィンドウ制御手段は、受信開始時に、上記狭帯域キャリア誤差算出手段が狭帯域キャリア誤差を算出する際に得られる伝送シンボルの境界位置情報と、上記制御手段から供給されたガードインターバル長情報とに基づき、上記フーリエ変換手段による伝送シンボル内に対する上記演算範囲を制御する。
【００２０】
本発明にかかる受信装置は、所定の帯域内の各サブキャリア周波数成分に情報が分割されて変調されることにより生成された有効シンボルと、この有効シンボルの一部の信号波形が複写されることによって生成されたガードインターバルとが含まれた伝送シンボルを伝送単位とし、伝送制御情報がサブキャリアに直交変調された直交周波数分割多重（ＯＦＤＭ）信号を受信する受信装置であって、受信したＯＦＤＭ信号が所定のキャリア周波数で直交復調されたＯＦＤＭ時間領域信号から、上記サブキャリアの周波数間隔の±１／２以下の精度の狭帯域キャリア誤差を算出する狭帯域キャリア誤差算出手段と、上記ＯＦＤＭ時間領域信号に、上記狭帯域キャリア誤差算出手段により算出された狭帯域キャリア誤差に応じて周波数が増減する補正信号を複素乗算することにより、該ＯＦＤＭ時間領域信号のキャリア周波数誤差を補正するキャリア周波数誤差補正部と、上記キャリア周波数誤差補正部により補正されたＯＦＤＭ時間領域信号の伝送シンボルから上記有効シンボル期間分の演算範囲を切り出し、切り出した演算範囲をフーリエ変換して情報を復調するフーリエ変換手段と、受信したＯＦＤＭ信号のガードインターバルの長さと上記狭帯域キャリア誤差算出手段が狭帯域キャリア誤差を算出する際に得られる伝送シンボルの境界位置情報とに応じて、上記フーリエ変換手段による伝送シンボル内に対する上記演算範囲を制御するウィンドウ制御手段と、上記フーリエ変換した情報から上記伝送制御情報を復号する伝送制御情報復号手段と、受信するＯＦＤＭ信号を選択する選択入力情報がユーザから入力される入力手段と、ユーザから入力される上記選択入力情報に対応させて上記伝送制御情報を記憶する記憶手段と、入力された上記選択入力情報に応じて上記伝送制御情報を上記記憶手段から読み出し、読み出した伝送制御情報に基づき受信したＯＦＤＭ信号に対する復調方式及び／又は復号方式の設定をする制御手段とを備える。
【００２２】
【発明の実施の形態】
以下、本発明の実施の形態として、ＩＳＤＢ−Ｔ規格で放送された信号を受信する受信装置について説明をする。なお、放送される信号は、一例として、ＩＳＤＢ−Ｔモードがモード１であり、セグメントは１つであるものとする。
【００２３】
図１は、本発明の実施の形態のＯＦＤＭ受信装置のブロック構成図である。この図１では、ブロック間で伝達される信号が複素信号の場合には太線で信号成分を表現し、ブロック間で伝達される信号が実数信号の場合には細線で信号成分を表現している。
【００２４】
ＯＦＤＭ受信装置１は、図１に示すように、アンテナ２と、チューナ３と、バンドパスフィルタ（ＢＰＦ）４と、Ａ／Ｄ変換回路５と、デジタル直交復調回路６と、ｆｃ補正回路７と、ＦＦＴ演算回路８と、狭帯域ｆｃ誤差算出・ウィンドウシンク（ＦＡＦＣ・Ｗ−Ｓｙｎｃ）回路９と、広帯域ｆｃ誤差算出（ＷＡＦＣ）回路１０と、数値コントロール発振回路（ＮＣＯ）１１と、イコライザ１２と、周波数方向デインターリーブ回路１３と、時間方向デインターリーブ回路１４と、デマッピング回路１５と、エラー訂正回路１６と、ＴＭＣＣ復号回路１７と、制御回路１８と、メモリ１９とを備えている。
【００２５】
放送局から放送されたデジタルテレビジョン放送の放送波は、ＯＦＤＭ受信装置１のアンテナ２により受信され、ＲＦ信号としてチューナ３に供給される。
【００２６】
アンテナ２により受信されたＲＦ信号は、局部発振器及び乗算器等からなるチューナ３によりＩＦ信号に周波数変換され、ＢＰＦ４に供給される。チューナ３の局部発振周波数は、制御回路１８により設定される。例えば、ユーザにより選択されたチャネルに応じた局部発信周波数が制御回路１８により設定される。チューナ３から出力されたＩＦ信号は、ＢＰＦ４によりフィルタリングされた後、Ａ／Ｄ変換回路５によりデジタル化され、デジタル直交復調回路６に供給される。
【００２７】
デジタル直交復調回路６は、所定の周波数（ｆC：キャリア周波数）のキャリア信号を用いて、デジタル化されたＩＦ信号を直交復調し、ベースバンドのＯＦＤＭ信号を出力する。このデジタル直交復調回路６から出力されるベースバンドのＯＦＤＭ信号は、ＦＦＴ演算される前のいわゆる時間領域の信号である。このことから、以下デジタル直交復調後でＦＦＴ演算される前のベースバンド信号を、ＯＦＤＭ時間領域信号と呼ぶ。このＯＦＤＭ時間領域信号は、直交復調された結果、実軸成分（Ｉチャンネル信号）と、虚軸成分（Ｑチャネル信号）とを含んだ複素信号となる。デジタル直交復調回路６により出力されるＯＦＤＭ時間領域信号は、ｆｃ補正回路７に供給される。
【００２８】
ｆｃ補正回路７は、ＮＣＯ１１から出力されるｆｃ誤差補正信号とＯＦＤＭ時間領域信号と複素乗算し、ＯＦＤＭ時間領域信号のキャリア周波数誤差を補正する。キャリア周波数誤差は、例えば局部発振器から出力される基準周波数のずれ等により生じるＯＦＤＭ時間領域信号の中心周波数位置の誤差であり、この誤差が大きくなると出力されるデータの誤り率が増大する。ｆｃ補正回路７によりキャリア周波数誤差が補正されたＯＦＤＭ時間領域信号は、ＦＦＴ演算回路８及びＦＡＦＣ・Ｗ−Ｓｙｎｃ回路９に供給される。
【００２９】
ＦＦＴ演算回路８は、ＯＦＤＭ時間領域信号に対してＦＦＴ演算を行い、各サブキャリアに直交変調されているデータを抽出して出力する。このＦＦＴ演算回路８から出力される信号は、ＦＦＴされた後のいわゆる周波数領域の信号である。このことから、以下、ＦＦＴ演算後の信号をＯＦＤＭ周波数領域信号と呼ぶ。
【００３０】
ＦＦＴ演算回路８は、１つのＯＦＤＭシンボルから有効シンボル長の範囲（例えば２５６サンプル）の信号を抜き出し、すなわち、１つのＯＦＤＭシンボルからガードインターバル分の範囲を除き、抜き出したＯＦＤＭ時間領域信号に対してＦＦＴ演算を行う。具体的にその演算開始位置は、ＯＦＤＭシンボルの境界から、ガードインターバルの終了位置までの間のいずれかの位置となる。この演算範囲のことをＦＦＴウィンドウと呼ぶ。
【００３１】
このようにＦＦＴ演算回路８から出力されたＯＦＤＭ周波数領域信号は、ＯＦＤＭ時間領域信号と同様に、実軸成分（Ｉチャンネル信号）と、虚軸成分（Ｑチャネル信号）とからなる複素信号となっている。ＯＦＤＭ周波数領域信号は、ＷＡＦＣ回路１０、イコライザ１２に供給される。
【００３２】
ＦＡＦＣ・Ｗ−Ｓｙｎｃ回路９及びＷＡＦＣ回路１０は、ｆｃ補正回路７の出力信号に含まれているキャリア周波数誤差を算出する。ＦＡＦＣ・Ｗ−Ｓｙｎｃ回路９は、サブキャリアの周波数間隔の±１／２以下の精度の狭帯域ｆｃ誤差を算出する。ＷＡＦＣ回路１０は、サブキャリアの周波数間隔精度の広帯域ｆｃ誤差を算出する。ＦＡＦＣ回路９及びＷＡＦＣ回路１０により求められたキャリア周波数誤差は、それぞれＮＣＯ１１に供給される。
【００３３】
また、ＦＡＦＣ・Ｗ−Ｓｙｎｃ回路９は、ＦＦＴ演算回路８によるＦＦＴ演算の開始タイミングを求め、ＦＦＴの演算範囲（ＦＦＴウィンドウ）を制御することも行う。このＦＦＴウィンドウの制御は、サブキャリアの周波数間隔の±１／２以下の精度の狭帯域キャリア周波数誤差を算出する際に得られるＯＦＤＭシンボルの境界位置情報、及び、そのＯＦＤＭ信号のガードインターバルの長さに基づき行われる。ＩＳＤＢ−Ｔ規格では、ガードインターバルの長さが、４パターン定められている。有効シンボルとの長さ比で表したときに、１／４、１／８、１／１６、１／３２の長さとなる。受信したＯＦＤＭ信号のガードインターバルの長さは、制御回路１８により設定される。
【００３４】
ＮＣＯ１１は、ＦＡＦＣ回路９により算出されたサブキャリア周波数間隔の±１／２精度の狭帯域キャリア周波数誤差と、ＷＡＦＣ回路１０により算出されたサブキャリア周波数間隔精度の広帯域ｆｃ誤差とを加算し、加算して得られたキャリア周波数誤差に応じて周波数が増減するｆｃ誤差補正信号を出力する。このｆｃ誤差補正信号は、複素信号であり、ｆｃ補正回路７に供給される。このｆｃ誤差補正信号は、ｆｃ補正回路７によりＯＦＤＭ時間領域信号に複素乗算され、ＯＦＤＭ時間領域信号のキャリア周波数誤差成分が除去される。
【００３５】
イコライザ１２は、例えばスキャッタードパイロット信号（ＳＰ信号）を用いて、ＯＦＤＭ周波数領域信号の位相等化及び振幅等化を行う。位相等化及び振幅等化がされたＯＦＤＭ周波数領域信号は、周波数方向デインターリーブ回路１３及びＴＭＣＣ復号回路１７に供給される。
【００３６】
周波数方向デインターリーブ回路１３は、送信側で周波数方向にインターリーブされたデータを、そのインターリーブパターンに従ってデインターリーブする。周波数方向のデインタリーブ処理がされたデータは、時間方向デインタリーブ回路１４に供給される。
【００３７】
時間方向デインタリーブ回路１４は、送信側で時間方向にインターリーブされたデータを、インターリーブパターンに従って、デインタリーブする。ＩＳＤＢ−Ｔ規格では、各モードでインタリーブパターンが５パターン定められている。例えば、モード１であれば、遅延補正シンボル数が０、２８、５６、１１２、２２４となるような、５つのパターンが規定されている。デインタリーブするために用いられるインタリーブパターンは、制御回路１８の制御によって設定される。時間方向のデインタリーブ処理がされたデータは、デマッピング回路１５に供給される。
【００３８】
デマッピング回路１５は、所定のキャリア変調方式に従ったデマッピング処理を行って、ＯＦＤＭ周波数領域信号の各サブキャリアに直交変調されているデータを復調する。ＩＳＤＢ−Ｔ規格では、キャリア変調方式としてＤＱＰＳＫ、ＱＰＳＫ、１６ＱＡＭ、６４ＱＡＭの変調方式が規定されている。デマッピング回路１５は、デマッピングをするために必要となるマッピングパターン等が制御回路１８の制御によって設定される。デマッピング回路１５により復調されたデータは、エラー訂正回路１６に供給される。
【００３９】
エラー訂正回路１６は、送信側でパンクチュアード畳み込み符号で符号化されたデータをビタビ復号し、さらに、外符号として付加されたリード−ソロモン符号を用いてエラー訂正処理を行う。ＩＳＤＢ−Ｔ規格では、１／２、２／３、３／４、５／６、７／８となるような、パンクチュアード畳み込み符号の符号化率が定められている。エラー訂正回路１６は、ビタビ復号するために用いられる畳み込み符号の符号化率が制御回路１８によって設定される。
【００４０】
エラー訂正回路１６によりエラー訂正がされたデータは、後段の例えばＭＰＥＧ復号回路等に供給される。
【００４１】
ＴＭＣＣ復号回路１７は、シンボル内の所定のサブキャリア位置に挿入されてるＴＭＣＣ信号を抽出し、このＴＭＣＣに記述されている情報を復号する。ＴＭＣＣには、テレビジョン放送システムのシステム識別情報、当該ＴＭＣＣ情報を切り替えるためのカウントダウン情報、緊急警報放送用起動フラグ、セグメント形式識別フラグ、キャリア変調方式、畳み込み符号化率、時間方向のインタリーブパターン等の情報が記述されている。ＴＭＣＣ復号回路１７は、復号した各情報を制御回路１８に供給する。
【００４２】
制御回路１８は、各回路のコントロール及び装置全体のコントロールを行う。また、制御回路１８には、ＴＭＣＣ復号回路１７により復号された各情報が入力され、これらの情報に基づき各回路の制御及びパラメータの設定等を行う。また、制御回路１８は、メモリ１９に格納されている情報を読み出し、読み出した情報に基づき各回路の制御及びパラメータの設定等を行う。
【００４３】
メモリ１９には、コンテンツを放送する放送局（周波数チャネル）毎に、その放送局が放送する放送波のＲＦ周波数、その放送局から放送されるＯＦＤＭ信号のガードインターバル長、並びに、時間方向のインタリーブパターン、キャリア変調方式、畳み込み符号化率等のＴＭＣＣに記述されている情報内容がプリセットしてある。
【００４４】
リモートコントローラ（リモコン）２０は、ユーザにより、視聴するプログラムを提供している放送局（周波数チャネル）の選択入力がされ、その選択情報が例えば赤外線通信等により制御回路１８に送信される。ユーザは、例えば、紙面上に記載されているプログラムガイド等を参照して、放送局を選択したり、或いは、例えばモニタ上に表示されたＥＰＧ（Electric Program Gide）を選択することにより放送局を選択してもよい。
【００４５】
つぎに、以上のような構成のＯＦＤＭ受信装置１の信号受信時における動作について説明する。
【００４６】
まず、ユーザは、リモートコントローラ２０を用いて、自分が視聴するプログラムを放送している放送局を選択する。選択された放送局を特定する情報は、ユーザ選択情報として、制御回路１８に供給される。
【００４７】
制御回路１８は、ユーザにより選択された放送局に対応したＲＦ周波数、ガードインターバル長、インターリーブパターン、キャリア変調方式、畳み込み符号化率を、メモリ１９から読み出す。制御回路１８は、受信動作開始とともに、読み出したこれらの情報に基づき、チューナ３の局部発振周波数、ＦＡＦＣ・Ｗ−Ｓｙｎｃ９のガードインターバル長、時間方向デインターリーブ回路１４のインターリーブパターン、エラー訂正回路１６の畳み込み符号化率を設定する。
【００４８】
制御回路１８は、各設定が終了すると、その放送の受信を開始する。
【００４９】
このようにＯＦＤＭ受信装置１では、予めコンテンツを提供している放送局と、その放送局のＲＦ周波数、その放送局から放送されるＯＦＤＭ信号のガードインターバル、その放送局から放送される信号に付加されているＴＭＣＣの内容（例えば、インターリーブパターン、キャリア変調方式、畳み込み符号化率）を、予めメモリ１９内にプリセットしてある。そして、ユーザが受信する放送局を選択すると、このメモリ１９内にプリセットされている情報に基づき、各種の設定がされる。
【００５０】
メモリ１９内にプリセットされる情報は、例えば、装置の工場出荷時にプリセットしたり、その放送の受信中に検出したガードインターバル長情報やＴＭＣＣ情報をプリセットしたりする。また、メモリ１９内にプリセットされている情報と、ＴＭＣＣに記述されたいる情報が異なっていた場合には、メモリ１９内の情報を新たな情報に更新する。
【００５１】
なお、メモリ１９内に格納されているガードインターバル長情報が、実際に受信したＯＦＤＭ信号のガードインターバル長と異なっていて、正しい復調ができなかった場合（例えば、ＴＭＣＣが検出できなかった場合）には、改めてガードインターバル長のサーチを行い、設定をやり直すようにしてもよい。
【００５２】
以上のように本発明の実施の形態のＯＦＤＭ受信装置１では、複数のガードインターバル長に対して順番にウィンドウ同期を試みるといったサーチ動作を必要とせず、受信開始から音声又は映像等が出力されるまでの初期立ち上がり時間を短縮することができる。
【００５３】
また、ＯＦＤＭ受信装置１では、ＴＭＣＣ情報を検出する前に、時間方向インタリーブパターン、キャリア変調方式、畳み込み符号化率等を設定することができるので、受信開始から音声又は映像等が出力されるまでの初期立ち上がり時間を短縮することができる。
【００５４】
なお、メモリ１９内にプリセットされている各情報は、放送局毎に対応させて記憶させているものとして説明したが、ガードインターバル長やＴＭＣＣ内容は、同一の放送局でも例えばプログラム毎に異なったり、また、プログラムジャンル毎に異なったりする。また、さらに、１つの放送局で１つの周波数帯域を使用するとは限られず、１つのチャネルを複数の放送局が用いたり、或いは、１つ放送局が複数のチャネルを用いたりする。また、複数のコンテンツ提供者の情報を多重化して放送することもある。従って、メモリ１９内にプリセットされている各情報は、放送局に対応させて記憶させておくのではなく、例えば、チャネル、コンテンツ提供者、プログラム、番組等の、ユーザがプログラムを視聴するために入力される各種情報に対応してプリセットされるようにしてもよい。
【００５５】
また、本実施の形態を説明するにあたり、ＩＳＤＢ−Ｔ規格のＯＦＤＭ受信装置を一例にとって説明をしたが、例えば、ＤＶＢ−Ｔといった他の規格の受信装置に適用してもよい。例えば、ＤＶＢ−Ｔ規格の受信装置に適用する場合には、ＴＰＳと呼ばれる伝送制御情報が用いられることとなる。
【００５６】
【発明の効果】
本発明にかかる受信装置では、ユーザから入力される上記選択入力情報に対応させてガードインターバル長情報を記憶しておき、受信開始時にユーザからの上記選択入力情報に応じて上記ガードインターバル長情報を読み出して、フーリエ変換の演算範囲を制御する。
【００５７】
また、本発明にかかる受信装置では、ユーザから入力される上記選択入力情報に対応させて伝送制御情報を記憶しておき、受信開始時にユーザからの上記選択入力情報に応じて上記伝送制御情報を読み出して、受信したＯＦＤＭ信号に対する復調方式及び／又は復号方式の設定をする。
【００５８】
更に、本発明によれば、狭帯域キャリア誤差に応じて周波数が増減する補正信号を用いて、ＯＦＤＭ時間領域信号のキャリア周波数誤差を補正し、狭帯域キャリア誤差を算出する際に得られる伝送シンボルの境界位置情報を利用してフーリエ変換の演算範囲を制御することにより、キャリア周波数誤差によるデータの誤り率の増大を低減しつつ、受信開始から音声又は映像等が出力されるまでの初期立ち上がり時間を短縮することができる。
【図面の簡単な説明】
【図１】本発明を適用したＯＦＤＭ受信装置のブロック構成図である。
【図２】ＯＦＤＭシンボルを説明するための図である。
【符号の説明】
０  ＯＦＤＭ受信装置、２  アンテナ、３  チューナ、４  ＢＰＦ、５  Ａ／Ｄ変換回路、６  デジタル直交復調回路、７  ｆｃ補正回路、８  ＦＦＴ演算回路、９  ＦＡＦＣ・Ｗ−Ｓｙｎｃ回路、１０  ＷＡＦＣ回路、１１  ＮＣＯ、１２  イコライザ、１３  周波数方向デインターリーブ回路、１４  時間方向デインターリーブ回路、１５  デマッピング、１６  エラー訂正、１７  ＴＭＣＣ復号回路、１８  制御回路、１９  メモリ、２０  リモートコントローラ
【図１】
0004378837.tif 000002
【図２】
0004378837.tif 000003